(57)【要約】【課題】装着時に足首に他の部分より高い圧迫圧がかかる靴下または筒状の下肢用サポーターであって、履く際の力を低減できる靴下または筒状の下肢用サポーターを提供する。【解決手段】装着時に、足首およびふくらはぎに、足首からふくらはぎへと順次圧迫圧が小となる圧迫圧分布が作用するように編成される靴下または筒状の下肢用サポーターであって、レッグ部正面とフート部正面との間の足首部を被覆する領域が、他の領域より大きな編目で編成される、靴下または筒状の下肢用サポーター。【選択図】図１Ａ
2015145548.tif 000002
【特許請求の範囲】
【請求項１】
装着時に、足首およびふくらはぎに、足首からふくらはぎへと順次圧迫圧が小となる圧迫圧分布が作用するように編成される靴下または筒状の下肢用サポーターであって、
レッグ部正面とフート部正面との間の足首部を被覆する領域が、他の領域より大きな編目で編成される、靴下または筒状の下肢用サポーター。
【請求項２】
ゴアラインの始点から踵部後端までの距離ａと、足首前下端から踵部後端までの距離ｂとの関係が、０．５０≦ａ／ｂ≦０．７６となる、請求項１に記載の靴下または筒状の下肢用サポーター。
【発明の詳細な説明】
【技術分野】
【０００１】
本発明は、靴下または筒状の下肢用サポーターに関する。以下、「靴下または筒状の下肢用サポーター」のことを「靴下等」ということがある。
【背景技術】
【０００２】
従来から、医療分野において、下肢における静脈瘤、静脈血栓症といった静脈還流障害やリンパ浮腫等の疾患の予防や治療に、足首からふくらはぎへと、または足首から大腿へと段階的に圧迫圧が弱くなるように設計されている弾力性の靴下等が提案されている（例えば、特許文献１参照）。
【０００３】
また、スポーツ用、生活用としても、下肢の疲れ等を防止するため、または傷害の予防や治療をするために、弾力性の靴下または筒状の下肢用サポーターが使用されている。そして、その予防または治療効果を高めるために、装着時に足首からふくらはぎへと、または足首から大腿へと段階的に圧迫圧が弱くなるように設計されている弾力性の靴下または筒状の下肢用サポーターが提案されている（特許文献２、３参照）。
【先行技術文献】
【特許文献】
【０００４】
【特許文献１】実開平３−８５０２５号公報
【特許文献２】特開２００７−０６３７２２号公報
【特許文献３】特開２００７−０６３７２３号公報
【発明の概要】
【発明が解決しようとする課題】
【０００５】
上記のような装着時に足首に他の部分より高い圧迫圧がかかる靴下等を履く際、特に指の力の弱い高齢者や女性にとっては、力を要するという課題が存在する。
【０００６】
そこで、本発明は、装着時に足首に他の部分より高い圧迫圧がかかる靴下または筒状の下肢用サポーターであって、履く際の力を低減できる靴下または筒状の下肢用サポーターを提供するものである。
【課題を解決するための手段】
【０００７】
本発明に係る靴下または筒状の下肢用サポーターは、装着時に、足首およびふくらはぎに、足首からふくらはぎへと順次圧迫圧が小となる圧迫圧分布が作用するように編成される靴下または筒状の下肢用サポーターであって、レッグ部正面とフート部正面との間の足首部を被覆する領域が、他の領域より大きな編目で編成されるものである。
本発明に係る靴下または筒状の下肢用サポーターでは、ゴアラインの始点から踵部後端までの距離ａと、足首前下端から踵部後端までの距離ｂとの関係を、０．５０≦ａ／ｂ≦０．７６としてもよい。
【発明の効果】
【０００８】
本発明により、装着時に足首に他の部分より高い圧迫圧がかかる靴下または筒状の下肢用サポーターであって、履く際の力を低減できる、すなわち、履きやすい靴下または筒状の下肢用サポーターを提供することができる。
【図面の簡単な説明】
【０００９】
【図１Ａ】本発明の一実施形態に係る靴下を示す側面図である。
【図１Ｂ】図１Ａに表す一実施形態に係る靴下を示す正面図である。
【発明を実施するための形態】
【００１０】
以下、本発明の実施形態について図面を参照しながら説明する。なお、以下に説明する形態は、本発明の形態の一例を示したものであり、これにより本発明の範囲が狭く解釈されることはない。
【００１１】
本発明の実施形態に係る靴下または筒状の下肢用サポーターは、装着時に、足首およびふくらはぎに、足首からふくらはぎへと順次圧迫圧が小となる圧迫圧分布が作用するように編成されている。そして、この靴下等では、レッグ部正面とフート部正面との間の足首部を被覆する領域が、他の領域より大きな編目で編成されている。
この構成により、着用時において、レッグ部正面とフート部正面との間の足首部を被覆する領域が、従来に比べて比較的弱い力で伸縮され、着用の際の力を低減することが可能となる。
【００１２】
また、この靴下等では、踵部および爪先部を形成するためのゴアラインを有し、ゴアラインの始点から踵部後端までの距離ａと、足首前下端から踵部後端までの距離ｂとの関係を、０．５０≦ａ／ｂ≦０．７６とすることが好ましい。この構成により、より履きやすい靴下等とすることが可能である。
【００１３】
本実施形態の靴下等は、その構成から、医療用、スポーツ用、生活用として、身体への負担軽減、下肢のむくみの予防や軽減等の疲労軽減のために使用するのに適している。そのため、本発明に係る靴下等は、身体への負担軽減用および／または疲労軽減用の靴下または筒状の下肢用サポーターとすることができ、下肢のむくみの予防および／または軽減用の靴下または筒状の下肢用サポーターとすることもできる。
【００１４】
また、本実施形態の靴下等は、その構成から、医療用として、下肢の静脈還流障害やリンパ浮腫等の疾患の予防または治療に使用することができる。そのため、本発明に係る靴下等は、下肢の静脈還流障害および／またはリンパ浮腫の疾患の予防および／または治療用の靴下または筒状の下肢用サポーターとすることもできる。
【００１５】
なお、本発明の対象となる靴下または筒状の下肢用サポーターの形態は、足甲部、足底部、踵部および爪先部等を含む足部からふくらはぎまでを覆うもの（所謂ソックス）、足部から膝下までを覆うもの（所謂ハイソックス）、足部から大腿までを覆うもの（所謂ストッキング）、足部から腰までを覆うもの（所謂パンティーストッキング）等がある。前記各種形態において、踵部、爪先部、または足部を部分的に覆わないものであっても良い。
【００１６】
（構成）
以下に、ソックスタイプの靴下の実施形態について、図面を参照して説明する。
図１は、本発明の一実施形態に係る靴下１を示す側面図（Ａ）および正面図（Ｂ）である。本明細書においては、身体の腹側から見た方向を正面、身体の背中側から見た方向を背面、身体の側面側からみた方向を側面、と便宜上呼ぶ。
【００１７】
図１において、靴下１はソックスタイプの靴下を示している。この靴下１は、口ゴム部２、ふくらはぎから足首（図１における足首位置を表す破線Ｌ１を参照）までを被覆するレッグ部３、踵を被覆する踵部４、足首から足部を被覆するフート部５（踵部４および爪先部６を除く）、爪先を被覆する爪先部６から構成されている。本実施形態に係る靴下１は、丸編により編成された筒状編地のうち足装着状態で踵部４および爪先部６を縫製加工して靴下形状とされてなる構成である。
【００１８】
本発明に係る靴下等における生地は、従来と同様の編構造を採用でき、例えば、平編、ゴム編、パール編等で形成した編組織に、横方向から弾性糸等を挿入する態様が利用できる。編構造に使用する糸としては、例えば、編構造の編目を構成する糸にナイロン糸、ポリエステル糸、綿糸、レーヨン糸等が使用できる。そして、その編目に横方向から挿入する糸としてポリウレタンまたは天然ゴム弾性糸を芯糸とし、その周囲に他の糸をコイル状に巻きつけた弾性糸、所謂カバードヤーンが使用できる。
また、本発明に係る靴下等における生地としては、複数の種類の編組織を組み合わせて使用しても良いし、織布、不織布等の編構造以外の布を単独又は組み合わせて使用しても良い。
なお、本明細書でいう縦方向とは、編布の製造方向に平行な方向をいい、通常は、編布のウェール方向が該当する。一方、横方向とは、縦方向に直交する方向をいい、通常は、編布のコース方向が該当する。
【００１９】
靴下１において、レッグ部３の正面３Ａの途中からフート部５の正面５Ａの甲部分の途中までの領域（足甲部）に、略矩形の度目変更領域１０が設けられている（ただし、度目変更領域１０は、高さ方向において、レッグ部３の正面３Ａのすね部にまでは及ばない）。つまり、レッグ部３の正面３Ａとフート部５の正面５Ａとの間の足首部（図１における足首位置を表す破線Ｌ１を参照）を被覆する領域に、他の領域より大きな編目で編成される度目変更領域１０が設けられている。
【００２０】
度目変更領域１０の形状は、所望の圧迫機能が損なわれない範囲で足首の正面側を被覆する形状であれば特に限定されず、略矩形、略三角形、略円形、略楕円形の形状等としてもよい。
【００２１】
度目変更領域１０を構成している生地の編組織の度目は、度目変更領域１０を除くレッグ部３およびフート部５を構成している生地の編組織の度目よりも疎にして編成されている。すなわち、度目変更領域１０を構成している生地の編組織の編目は、度目変更領域１０を除くレッグ部３およびフート部５を構成している生地の編目よりも大きい。
【００２２】
このように、レッグ部３の正面３Ａとフート部５の正面５Ａとの間の足首部を被覆する位置に、度目変更領域１０を設けることで、度目変更領域１０が伸縮されやすくなり、指の力の弱い高齢者等でも、従来に比べて力を要することなく靴下１を履くことができるようになる。
【００２３】
靴下１を構成している生地の編組織の度目は、ＪＩＳ  Ｌ１０９６の「織物及び編物の生地試験方法」における「度目」の規定に準拠して、測定される。
度目変更領域１０を構成している生地の編組織の度目は、度目変更領域１０を除くレッグ部およびフート部を構成している生地の編組織の度目よりも小さいことが好ましい。度目変更領域１０を構成している生地の編組織の度目は、度目変更領域１０を除くレッグ部およびフート部を構成している生地の編組織の度目の１０〜９０％の範囲の値とすることがより好ましい。
【００２４】
踵部４には、その編組織を編成する際に生じるゴアライン２０が左右両側面側に形成されている。本実施形態に係る靴下１では、ゴアライン２０の始点２１を足首前下端２２の位置に近づけてゴアライン２０を深くすることにより、踵部４が、踵全体を覆うようになっている。具体的には、ゴアライン２０の始点２１から踵部後端２３までの距離ａと、足首前下端２２から踵部後端２３までの距離ｂとの関係が、０．５０≦ａ／ｂ≦０．７６となる。より好ましくは、ゴアライン２０の始点２１から踵部後端２３までの距離ａと、足首前下端２２から踵部後端２３までの距離ｂとの関係が、０．５５≦ａ／ｂ≦０．７０となる。このように、ゴアライン２０を深くすることでも、指の力の弱い高齢者等でも、従来に比べて力を要することなく靴下１を履くことができるようになる。
【００２５】
靴下１においては、足首およびふくらはぎに、装着者の疲労軽減、疾患の予防または治療のための所定の圧迫圧分布が設けられる。圧迫圧は、糸の密度、編目の大きさ、弾性糸の伸張度をコントロールすることで、所定の値を付与することができる。また、圧迫圧をかける位置に、弾力性の布帛を縫合したり、弾性のある樹脂を塗工または含浸させたりすることによっても、圧迫圧を付与することが可能である。圧迫圧分布としては、足首からふくらはぎへと順次圧迫圧が小となる圧迫圧分布が好ましい。圧迫圧は、足首からふくらはぎへと次第に小さく設定され、例えば、足首の圧迫圧を１８〜６７ｈＰａ、ふくらはぎの圧迫圧を９〜５４ｈＰａ程度とすることができる。なお、圧迫圧は、例えばエアー式圧力計測器（ＡＭＩ社製）を用い、靴下を装着した状態で、靴下と皮膚表面との間に計測器の圧力センサーを設置して測定することができる。
【００２６】
本実施形態の靴下１は、足首およびふくらはぎに、足首からふくらはぎへと順次圧迫圧が小となる圧迫圧分布が作用するように編成されていることから、身体への負担軽減・疲労軽減、下肢のむくみの予防・軽減に資する。また、下肢の静脈還流障害やリンパ浮腫等の疾患の予防・治療に資する。
【００２７】
また、本実施形態の靴下１は、レッグ部３の正面３Ａとフート部５の正面５Ａとの間の足首部を被覆する領域が、他の領域より大きな編目で編成されていることから、着用の際の力を低減でき、上記圧迫圧分布が作用する構成においても履きやすいものとなる。そして、ゴアラインの始点から踵部後端までの距離ａと、足首前下端から踵部後端までの距離ｂとの関係を、０．５０≦ａ／ｂ≦０．７６とすることで、上記度目変更領域１０の構成と相俟って、履く際の力をより低減でき、より履きやすいものとなる。
よって、高齢者や女性等の指の力の弱い人でも、従来に比べて力を要することなく、本実施形態の靴下１を履くことができる。
【００２８】
（効果検証）
検証として、６５歳以上の高齢者を対象として、足首からふくらはぎへと順次圧迫圧が小となる圧迫圧分布を有した靴下の装着比較テストを行った。装着サンプルの変動要素として、ゴアラインの深さ、足首部の編目の大きさ、すね部の編目の大きさを変更した靴下を用意した。
結果はＶＡＳ（Visual Analogue Scale）にて履きやすさを回答してもらい、重回帰分析を行い、傾向を探った。その結果（ＶＡＳ）を従属変数とした、従属変数に対する各条件（独立変数）の傾向は以下の通りである。
・足首部の編目を大きくすることで、ＶＡＳの点数が改善する傾向がある。
・ゴアラインを深くすることで、ＶＡＳの点数が改善する傾向がある。
・すね部の編目を大きくすることで、ＶＡＳの点数が低下する傾向がある。
【符号の説明】
【００２９】
１    靴下
２    口ゴム部
３    レッグ部
４    踵部
５    フート部
６    爪先部
１０  度目変更領域
２０  ゴアライン
【図１Ａ】
2015145548.tif 000003
【図１Ｂ】
2015145548.tif 000004